(57)【要約】【課題】Ｗｅｂユーザー端末ソフトウェアのオンライン及びオフライン状態の適応的なオペレーションを実現させる装置および方法を提供する。【解決手段】ローカルページ設置モジュール６は、ローカルＷｅｂサーバー２を築き、ローカルページ５をローカルＷｅｂサーバー２に設置する。入口モジュール４は、Ｗｅｂユーザー端末ソフトウェアの指示を受け取って開く。判断切替モジュール７は、リモートＷｅｂサーバー１に接続できるか否かを判断し、接続できない場合、Ｗｅｂユーザー端末ソフトウェアのローカル方式を起動する。閲覧モジュール３は、判断切替モジュール７による判断結果に従ってアクセス指示を送信し、リモートページ８またはローカルページ５を表示する。ローカルページ５およびリモートページ８は、ローカルに登録されかつウェブページの読み取りに対応可能なローカルユーザー端末機能モジュールを読み取る。【選択図】図１
2009104580.tif 000002
【特許請求の範囲】
【請求項１】
リモートＷｅｂサーバー及び複数のユーザー端末を備えるＷｅｂユーザー端末ソフトウェアの適応的なオペレーションを実現させる装置であって、前記リモートＷｅｂサーバーと前記ユーザー端末との間は通信ネットワークによって接続され、前記ユーザー端末はユーザーによって制御され、前記リモートＷｅｂサーバーはリモートページを有し、前記ユーザー端末は入口モジュール、閲覧モジュール、ローカルＷｅｂサーバー、ローカルページ、ローカルページ設置モジュールおよび判断切替モジュールを有し、
前記ローカルページ設置モジュールは、ローカルにおいてローカルＷｅｂサーバーを築き、前記ローカルページを前記ローカルＷｅｂサーバーに設置し、
前記入口モジュールは、前記Ｗｅｂユーザー端末ソフトウェアの指示を受け取って開き、
前記判断切替モジュールは、前記リモートＷｅｂサーバーに接続できるか否かを判断し、接続できないことが判明した場合、前記Ｗｅｂユーザー端末ソフトウェアの入口を前記ローカルＷｅｂサーバーに切り替え、前記Ｗｅｂユーザー端末ソフトウェアのローカル方式を起動し、
前記閲覧モジュールは、前記判断切替モジュールによって得た判断結果に従って前記リモートＷｅｂサーバーまたは前記ローカルＷｅｂサーバーにアクセス指示を送信し、前記リモートページまたは前記ローカルページを表示し、
前記ローカルページおよび前記リモートページは、ローカルに登録されかつウェブページの読み取りに対応可能なローカルユーザー端末機能モジュールを読み取ることを特徴とするＷｅｂユーザー端末ソフトウェアの適応的なオペレーションを実現させる装置。
【請求項２】
ユーザーにおいて、前記ユーザー端末は具体的にウェブページコントローラ及び前記ウェブページコントローラによってダウンロードされた機能モジュールのパッケージソフトウェアを含むことを特徴とする請求項１に記載のＷｅｂユーザー端末ソフトウェアの適応的なオペレーションを実現させる装置。
【請求項３】
前記ウェブページコントローラは、ＡｃｔｉｖｅＸ（登録商標）及びＸＰＣＯＭであることを特徴とする請求項２に記載のＷｅｂユーザー端末ソフトウェアの適応的なオペレーションを実現させる装置。
【請求項４】
入口モジュールによってＷｅｂユーザー端末ソフトウェアの指示を受け取って開く、即ち指示を受け取るステップと、
判断切替モジュールによってリモートＷｅｂサーバーに接続できるか否かを判断し、接続できないことが判明した場合、入口をローカルＷｅｂサーバーに切り替える、即ち判断および切替を行うステップと、
前記判断切替モジュールによって得た判断結果に従って閲覧モジュールを介して前記リモートＷｅｂサーバーまたは前記ローカルＷｅｂサーバーにアクセス指示を送信する、即ち閲覧およびアクセスを行うステップと、
前記閲覧モジュールによってリモートページまたはローカルページを表示し、かつ前記ローカルページまたは前記リモートページによってローカルに登録されかつウェブページの読み取りに対応可能なローカルユーザー端末機能モジュールを読み取る、即ちページをダウンロードするステップと、
を含むことを特徴とするＷｅｂユーザー端末ソフトウェアの適応的なオペレーションを実現させる方法。
【請求項５】
インターネットに接続した状態下で初めてウェブページにアクセスする場合、さらにインストールおよび設置を行うステップを含み、前記インストールおよび設置を行うステップは、ローカルにおいてユーザー端末をインストールし、ローカルページ設置モジュールによってローカルにおいてローカルＷｅｂサーバーを築き、前記ローカルページを前記ローカルＷｅｂサーバーに設置することを特徴とする請求項４に記載のＷｅｂユーザー端末ソフトウェアの適応的なオペレーションを実現させる方法。
【請求項６】
ユーザーにおいて、前記ユーザー端末は具体的にウェブページコントローラ及び前記ウェブページコントローラによってダウンロードされた機能モジュールのパッケージソフトウェアを含むことを特徴とする請求項４または請求項５に記載のＷｅｂユーザー端末ソフトウェアの適応的なオペレーションを実現させる方法。
【請求項７】
前記ウェブページコントローラは、ＡｃｔｉｖｅＸ及びＸＰＣＯＭであることを特徴とする請求項６に記載のＷｅｂユーザー端末ソフトウェアの適応的なオペレーションを実現させる方法。
【請求項８】
前記ローカルＷｅｂサーバーを築くことは、前記ユーザー端末のインストールを行う際に自動的に完了することが可能であり、前記ローカルページの設置および更新は、前記ユーザー端末によって自動的に完了することが可能であることを特徴とする請求項４または請求項５に記載のＷｅｂユーザー端末ソフトウェアの適応的なオペレーションを実現させる方法。
【請求項９】
前記ローカルページ及び前記リモートページは、同じにすることも同じにならないようにすることも可能であることを特徴とする請求項４または請求項５に記載のＷｅｂユーザー端末ソフトウェアの適応的なオペレーションを実現させる方法。
【請求項１０】
前記指示を受け取るステップにおいて、前記Ｗｅｂユーザー端末ソフトウェアのリモート方式は、黙認を得て開く方式であることを特徴とする請求項４または請求項５に記載のＷｅｂユーザー端末ソフトウェアの適応的なオペレーションを実現させる方法。
【請求項１１】
前記リモートＷｅｂサーバーを前記ローカルＷｅｂサーバーに切り替える際、ローカルのアドレスにアクセスすることが自動的に指定され、かつローカルのアドレスにアクセスすることを自動的に指定する際の分配規則は、黙認のＵＲＬ及び黙認のポートナンバーが占用されているか否かを判断することを特徴とする請求項４または請求項５に記載のＷｅｂユーザー端末ソフトウェアの適応的なオペレーションを実現させる方法。
【発明の詳細な説明】
【技術分野】
【０００１】
本発明は、インターネット技術に関し、特にＷｅｂユーザー端末ソフトウェアのオンライン及びオフライン状態の適応的なオペレーションを実現させる装置および方法に関するものである。
【背景技術】
【０００２】
Ｗｅｂユーザー端末ソフトウェアとは、ユーザー端末のメインインターフェースがウェブページとなり、ウェブページによってユーザー端末のプログラムを読み取ることである。このようなソフトウェアのメインインターフェースはブラウザーソフトウェアによって相関的な操作およびブラウザーソフトウェアがアクセスしたウェブページの中の内容を取得することが可能である。そのうちの“Ｗｅｂ”とはユーザー端末のメインインターフェースがブラウザーソフトウェアによってアクセスしたウェブページである。ウェブページの配置位置はリモートまたはローカルとなることが可能である。“ユーザー端末ソフトウェア”とはソフトウェアの本質がローカルにインストールされたプログラムを演算することであるため、ユーザー側のプログラムに属する。
【０００３】
Ｗｅｂユーザー端末ソフトウェアのリモート方式は、Ｗｅｂユーザー端末ソフトウェアのメインインターフェース（ウェブページ）をリモートコンピューターのリモートＷｅｂサーバーに設置し、かつインターネットによってオペレーションする必要があることである。
Ｗｅｂユーザー端末ソフトウェアのローカル方式は、Ｗｅｂユーザー端末ソフトウェアのメインインターフェース（ウェブページ）をローカルのユーザー端末の中のローカルＷｅｂサーバーに設置することである。
【０００４】
ユーザー端末のオフライン状態は、即ちインターネットに接続しない状態である。ｈｔｔｐのやり取りによってリモートＷｅｂサーバーの上のウェブページにアクセスする際、オンライン状態下で行うことが必要である。Ｗｅｂユーザー端末ソフトウェアのリモート方式を使用する際にもオンライン状態下で行うことが必要である。ユーザー端末がオフライン状態となる場合、Ｗｅｂユーザー端末ソフトウェアはリモート方式を使用することができず、ユーザーが見ている画面上に“ページが見つかりません”といったメッセージを提示するページが表示され、かつそのページは何もＷｅｂユーザー端末ソフトウェアなどの情報を表示しない。Ｗｅｂユーザー端末ソフトウェアのリモート方式を使用できない（即ちリモートＷｅｂサーバーに設置されたＷｅｂユーザー端末ソフトウェアのメインインターフェースにアクセスできない）と、本来ローカルで読み取られる機能が使用できなくなる。かつユーザーに何もＷｅｂユーザー端末ソフトウェアに相関する情報を提示することはできないため、ユーザーの体験に深刻な影響を与えてしまう。
【０００５】
上述した問題に対し、従来の解決法としては下記のような二つの方法がある。
一つは、何も措置を取らないことである。Ｗｅｂユーザー端末ソフトウェアのメインインターフェースはブラウザーによってアクセスすることができる。ブラウザーはエラー情報を表示することにより、ウェブページにアクセスできないことが原因で“ソフトウェアはアクセス及び使用ができません”とユーザーに通知することができる。しかしながら、この方法の欠点は次の通りである。ソフトウェアを使用する際に“インターネットに接続する必要があります”といったメッセージのみをユーザーに通知するため、インターネットに接続しない場合何かが起こるかということはユーザーがあらかじめ認識できる範囲外である。従って、ユーザーはソフトウェアを使用できない原因を詳しく理解することができない。
【０００６】
もう一つは、入口においてリモートウェブページのアドレスを遮断する、即ちオフライン状態下でユーザー端末ソフトウェアの入口を遮断し、ユーザー端末ソフトウェアのその他の部分を通過させ提示することである。
【０００７】
上述した二つの方法はＷｅｂユーザー端末ソフトウェアがオフライン状態となる際の根本的な問題、即ちＷｅｂユーザー端末ソフトウェアのリモート方式を使用できないため本来ローカルで読み取られる機能が使用できなくなるという問題を解決することができない。従って、上述した二つの方法は、上記問題を確実に解決できる方法ではないことが明らかである。
【発明の開示】
【発明が解決しようとする課題】
【０００８】
本発明の主な目的は、Ｗｅｂユーザー端末ソフトウェアのオンライン及びオフライン状態の適応的なオペレーションを実現させる装置を提供することにより、インターネットに接続する状態下でリモートＷｅｂサーバーのＷｅｂユーザー端末ソフトウェアのメインインターフェースにアクセスする、即ちＷｅｂユーザー端末ソフトウェアのリモート方式でオペレーションすることと、オフライン状態下でＷｅｂユーザー端末ソフトウェアをリモート方式からローカル方式に切り替えることを許可し、ローカル機能のオペレーションを実現させ、ローカル機能を使用することを可能にする。
【０００９】
本発明のもう一つの目的は、Ｗｅｂユーザー端末ソフトウェアのオンライン及びオフライン状態の適応的なオペレーションを実現させる方法を提供することである。
【課題を解決するための手段】
【００１０】
上述した目的を達成するために、本発明の技術手段によるＷｅｂユーザー端末ソフトウェアの適応的なオペレーションを実現させる装置は、リモートＷｅｂサーバー及び数多くのユーザー端末を備える。リモートＷｅｂサーバーとユーザー端末との間は通信ネットワークによって接続される。ユーザー端末はユーザーによって制御される。リモートＷｅｂサーバーはリモートページを有する。ユーザー端末は入口モジュール、閲覧モジュール、ローカルＷｅｂサーバー、ローカルページ、ローカルページ設置モジュールおよび判断切替モジュールを有する。
【００１１】
ローカルページ設置モジュールは、ローカルにおいてローカルＷｅｂサーバーを築き、ローカルページをローカルＷｅｂサーバーに設置する。
入口モジュールは、Ｗｅｂユーザー端末ソフトウェアの指示を受け取って開く。
判断切替モジュールは、リモートＷｅｂサーバーに接続できるか否かを判断し、接続できないことが判明した場合、Ｗｅｂユーザー端末ソフトウェアの入口をローカルＷｅｂサーバーに切り替え、Ｗｅｂユーザー端末ソフトウェアのローカル方式を起動する。
【００１２】
閲覧モジュールは、判断切替モジュールによって得た判断結果に従ってリモートＷｅｂサーバーまたはローカルＷｅｂサーバーにアクセス指示を送信し、リモートページまたはローカルページを表示する。
ローカルページおよびリモートページは、ローカルに登録されかつウェブページの読み取りに対応可能なローカルユーザー端末機能モジュールを読み取る。
Ｗｅｂユーザー端末ソフトウェアの適応的なオペレーションを実現させる方法は次のステップを含む。
【００１３】
指示を受け取るステップは、入口モジュールによってＷｅｂユーザー端末ソフトウェアの指示を受け取って開くことである。黙認を得て開く方式はＷｅｂユーザー端末ソフトウェアのリモート方式である。
判断および切替を行うステップは、判断切替モジュールによってリモートＷｅｂサーバーに接続できるか否かを判断し、接続できないことが判明した場合、入口をローカルＷｅｂサーバーに切り替えることである。
閲覧およびアクセスを行うステップは、判断切替モジュールによって得た判断結果に従って閲覧モジュールを介してリモートＷｅｂサーバーまたはローカルＷｅｂサーバーにアクセス指示を送信することである。
【００１４】
ページをダウンロードするステップは、閲覧モジュールによってリモートページまたはローカルページを表示し、かつローカルページまたはリモートページによってローカルに登録されかつウェブページの読み取りに対応可能なローカルユーザー端末機能モジュールを読み取ることである。
インターネットに接続した状態下で初めてウェブページにアクセスする際、上述した方法はさらに次のステップを含む。
インストールおよび設置を行うステップは、ローカルにユーザー端末をインストールし、ローカルページ設置モジュールによってローカルにおいてローカルＷｅｂサーバーを築き、ローカルページをローカルＷｅｂサーバーに設置することである。
【００１５】
本発明は、現今の技術に、ローカルページをローカルＷｅｂサーバーに設置するためのローカルページ配置モジュール及び判断切替モジュールを増設するものである。現在がオフライン状態となる場合、判断切替モジュールはＷｅｂユーザー端末ソフトウェアの入口をローカルＷｅｂサーバーに切り替え、Ｗｅｂユーザー端末ソフトウェアのローカル方式を起動するため、Ｗｅｂユーザー端末ソフトウェアはオフライン状態下でリモートＷｅｂサーバーに頼ることを必要とせず、ウェブページの読み取りに対応可能なローカルユーザー端末機能モジュールを持続的に読み取り、ソフトウェアのローカル機能を正常に使用することが可能である。本発明は、現今の技術のうちの従来の解決法が抱えている欠点を改善するため、ネットワーク環境が原因でユーザーを悩ますという現状を解決することにより、ユーザーに良好な体験を与えることができる。
【発明を実施するための最良の形態】
【００１６】
図１に示すように、本発明の一実施形態によるＷｅｂユーザー端末ソフトウェアの適応的なオペレーションを実現させる装置は、リモートＷｅｂサーバー１及び数多くのユーザー端末を備える。リモートＷｅｂサーバーとユーザー端末との間は通信ネットワークによって接続される。ユーザー端末はユーザーによって制御される。ユーザー端末はローカルＷｅｂサーバー２、閲覧モジュール３、入口モジュール４、ローカルページ５、ローカルページ設置モジュール６および判断切替モジュール７を有する。リモートＷｅｂサーバー１はリモートページ８を有する。ユーザーにおいて、ユーザー端末は具体的にウェブページコントローラ及びウェブページコントローラによってダウンロードされた機能モジュールのパッケージソフトウェアを含む。ウェブページコントローラはＡｃｔｉｖｅＸ、ＸＰＣＯＭ等である。
【００１７】
ローカルページ設置モジュール６は、ローカルにおいてローカルＷｅｂサーバー２を築き、ローカルページ５をローカルＷｅｂサーバー２に設置する。
入口モジュール４は、Ｗｅｂユーザー端末ソフトウェアの指示を受け取って開く。
判断切替モジュール７は、リモートＷｅｂサーバー１に接続できるか否かを判断し、リモートＷｅｂサーバー１に接続できることが判明した場合、閲覧モジュール３によってリモートＷｅｂサーバー１にアクセス指示を送信する。リモートＷｅｂサーバー１に接続できないことが判明した場合、Ｗｅｂユーザー端末ソフトウェアの入口をローカルＷｅｂサーバー２に切り替え、かつ閲覧モジュール３によってローカルＷｅｂサーバー２にアクセス指示を送信する。
【００１８】
閲覧モジュール３は、判断切替モジュール７によって得た判断結果に従ってリモートＷｅｂサーバー１またはローカルＷｅｂサーバー２にアクセス指示を送信し、かつリモートページ８またはローカルページ５を表示する、即ちＷｅｂユーザー端末ソフトウェアのリモート方式またはＷｅｂユーザー端末ソフトウェアのローカル方式によって表示する。黙認の表示方式はＷｅｂユーザー端末ソフトウェアのリモート方式である。閲覧モジュール３がローカルＷｅｂサーバー２にアクセス指示を送信する方式はシステムによって自動的に行うことが可能である。またはユーザーは入口モジュール４によって指示を送信し、手動でローカルＷｅｂサーバー２に切り替えることが可能である。
【００１９】
ローカルページ５及びリモートページ８は、ローカルに登録されかつウェブページの読み取りに対応可能なローカルユーザー端末機能モジュールを読み取る。
図２に示すのは、ウェブページにアクセスすることが２回目以降である場合、本発明によるＷｅｂユーザー端末ソフトウェアのオンライン及びオフライン状態の適応的なオペレーションを実現させる方法を示すプロセスである。そのステップは次の通りである。
指示を受け取るステップは、入口モジュール４によってＷｅｂユーザー端末ソフトウェアの指示を受け取って開くことである。黙認を得た方式はＷｅｂユーザー端末ソフトウェアのリモート方式である。
【００２０】
判断および切替を行うステップは、判断切替モジュール７によってリモートＷｅｂサーバー１に接続できるか否かを判断し、リモートＷｅｂサーバー１に接続できることが判明した場合、閲覧モジュール３によってリモートＷｅｂサーバー１にアクセス指示を送信する。リモートＷｅｂサーバー１に接続できないことが判明した場合、Ｗｅｂユーザー端末ソフトウェアの入口をローカルＷｅｂサーバー２に切り替え、かつ閲覧モジュール３によってローカルＷｅｂサーバー２にアクセス指示を送信する。またリモートＷｅｂサーバー１をローカルＷｅｂサーバー２に切り替える際、ローカルのアドレスにアクセスすることを自動的に指示する。分配を行う際、黙認のURL及び黙認のポートナンバーは占用されているか否かを配慮する。
【００２１】
閲覧およびアクセスを行うステップは、判断切替モジュール７によって得た判断結果に従って閲覧モジュール３を介してリモートＷｅｂサーバー１またはローカルＷｅｂサーバー２にアクセス指示を送信することである。閲覧モジュール３がローカルＷｅｂサーバー２にアクセス指示を送信する方式はシステムによって自動的に行うことが可能である。またはユーザーは入口モジュール４によって指示を送信し、手動でローカルＷｅｂサーバーに切り替えることが可能である。
【００２２】
ページをダウンロードするステップは、閲覧モジュール３によってリモートページ８またはローカルページ５を表示し、かつローカルページ５またはリモートページ８によってローカルに登録されかつウェブページの読み取りに対応可能なローカルユーザー端末機能モジュールを読み取ることである。閲覧モジュール３がリモートＷｅｂサーバー１にｈｔｔｐ指示を送信する際、閲覧モジュール３に内蔵されたＷｅｂブラウザーは（またはＷｅｂブラウザーがポップアップし）、リモートＷｅｂサーバー１に設置されたリモートページ８（またはメインインターフェースまたはウェブページ）を表示する。また閲覧モジュール３がローカルＷｅｂサーバー２にｈｔｔｐ指示を送信する際、閲覧モジュール３に内蔵されたＷｅｂブラウザーは（またはＷｅｂブラウザーがポップアップし）、ローカルＷｅｂサーバー２に設置されたローカルページ５（またはメインインターフェースまたはウェブページ）を表示する。ローカルページ５及びリモートページ８は必要に応じ、同じにすることも同じにならないようにすることも可能である。
【００２３】
図３に示すのは、ウェブページにアクセスすることが初回である場合、本発明によるＷｅｂユーザー端末ソフトウェアのオンライン及びオフライン状態の適応的なオペレーションを実現させる方法を示すプロセスである。そのステップは次の通りである。
指示を受け取るステップは、入口モジュール４によってＷｅｂユーザー端末ソフトウェアの指示を受け取って開くことである。黙認を得た方式はＷｅｂユーザー端末ソフトウェアのリモート方式である。
判断を行うステップは、判断切替モジュール７によってリモートＷｅｂサーバー１に接続できるか否かを判断することである。
【００２４】
インストールおよび設置を行うステップは、リモートＷｅｂサーバー１に接続できる（即ちインターネットに接続できる）ことが判明した場合、ローカルにユーザー端末をインストールし、ローカルページ設置モジュール６によってローカルにおいてローカルＷｅｂサーバー２を築き、ローカルページ５をローカルＷｅｂサーバー２に設置し、リモートＷｅｂサーバー１に接続できない（即ちオフライン状態となる）ことが判明した場合、終止することである。通常、ローカルＷｅｂサーバー２のインストールは、ユーザーに頼ることを必要とせず、ユーザー端末のインストールを行う際に自動的に完了することが可能である。ローカルページ５の設置および更新は、ユーザーに頼ることを必要とせず、ユーザー端末によって自動的に完了することが可能である。
【００２５】
閲覧およびアクセスを行うステップは、閲覧モジュール３によってリモートＷｅｂサーバー１にアクセス指示を送信することである。
ページをダウンロードするステップは、閲覧モジュール３によってリモートページ８を表示し、かつリモートページ８によってローカルに登録されかつウェブページの読み取りに対応可能なローカルユーザー端末機能モジュールを読み取ることである。
【００２６】
以下、本発明の発明者が製品化するもののうちの代表的な例について説明する。
当該製品は安全性のあるソフトウェアである。
メインインターフェースはウェブページから構成され、かつインストールされた後、システムに常駐するタスクトレイによって開くことが可能である。メインインターフェースはブラウザーにおいてリモートＷｅｂサーバーに直接アクセスする。例えば、“タスクトレイ”を開くと、判断切替モジュールはhttp://mercury.duba.netに接続し、接続に失敗するとオフライン状態と判断する。
【００２７】
自動的に転向するローカルＷｅｂサーバーのＵＲＬ形式は例えばhttp://localhost:9090等である。そのうちのポートナンバーは自動的に分配される。
ローカルＷｅｂサーバーのローカルページはインストール目録に設置され、ローカルページはhttp://mercury.duba.netに設置されたリモートページに類似しているが、インターネットに接続必要な機能は除去される。
インターネットに接続しているか否かにかかわらず、ユーザーはブラウザーにおいてメインインターフェース（Ｗｅｂユーザー端末ソフトウェア）を見ることができる。かつオフライン状態となる時、メインインターフェースは、インターネットに常に接続が必要な一部分の機能は暫く使用ができないことを、ユーザーに通知する。
【００２８】
以上説明した実施形態は説明のための一例に過ぎず、本発明の技術手段を制限することができないため、この技術分野を熟知している技術者は本発明の精神及び請求範囲を逸脱しない限り、任意の変更を行うまたは部分的に取り替えることは本発明の請求範囲に属するべきである。
【図面の簡単な説明】
【００２９】
【図１】本発明の一実施形態によるＷｅｂユーザー端末ソフトウェアのオンライン及びオフライン状態の適応的なオペレーションを実現させる装置の構造を示す模式図である。
【図２】ウェブページにアクセスすることが２回目以降である場合、本発明の一実施形態によるＷｅｂユーザー端末ソフトウェアのオンライン及びオフライン状態の適応的なオペレーションを実現させる方法を示すプロセスである。
【図３】ウェブページにアクセスすることが初回である場合、本発明の一実施形態によるＷｅｂユーザー端末ソフトウェアのオンライン及びオフライン状態の適応的なオペレーションを実現させる方法を示すプロセスである。
【符号の説明】
【００３０】
１：リモートＷｅｂサーバー、２：ローカルＷｅｂサーバー、３：閲覧モジュール、４：入口モジュール、５：ローカルページ、６：ローカルページ設置モジュール、７：判断切替モジュール、８：リモートページ
【図１】
2009104580.tif 000003
【図２】
2009104580.tif 000004
【図３】
2009104580.tif 000005